(57)【要約】【課題】建物と隣り合う屋外のコンクリート土間の積雪や凍結をなくすことができ、しかも、それを効果的にかつランニングコスト低く実現することができる融雪システムを提供する。【解決手段】基礎１を断熱基礎とした建物１であって、断熱基礎２と隣り合う屋外の土間コンクリート５ａ中に融雪用の放熱用熱交換器６が埋込み状態に設けられると共に、断熱基礎２で囲まれた床下空間部９に吸熱用熱交換器７が設けられ、床下の熱が吸熱用熱交換器７、放熱用熱交換器６を通じて屋外の土間コンクリート５ａに伝えられるようになされている。屋外のコンクリート土間５は、例えば玄関付近の土間からなる。【選択図】      図１
2005105647.tif 000002
【特許請求の範囲】
【請求項１】
基礎を断熱基礎とした建物において、前記断熱基礎と隣り合う屋外の土間コンクリート中に融雪用の放熱用熱交換器が埋込み状態に設けられると共に、断熱基礎で囲まれた床下に吸熱用熱交換器が設けられ、床下の熱が吸熱用熱交換器、放熱用熱交換器を通じて前記屋外の土間コンクリートに伝えられるようになされていることを特徴とする断熱基礎建物における融雪システム。
【請求項２】
断熱基礎で囲まれた床下のベースがコンクリート土間からなっている請求項１に記載の断熱基礎建物における融雪システム。
【請求項３】
前記屋外のコンクリート土間が玄関付近の土間からなる請求項１又は２に記載の断熱基礎建物における融雪システム。
【請求項４】
基礎を断熱基礎とした建物において、前記断熱基礎と隣り合う屋外のコンクリート土間の上面よりも下位に該土間コンクリートに蓄熱作用を及ぼす態様で融雪用の放熱用熱交換器が埋込み状態に設けられると共に、断熱基礎で囲まれた床下に吸熱用熱交換器が設けられ、床下の熱が吸熱用熱交換器、放熱用熱交換器を通じて前記屋外の土間コンクリートに伝えられるようになされていることを特徴とする断熱基礎建物における融雪システム。
【発明の詳細な説明】
【技術分野】
【０００１】
本発明は、断熱基礎建物における融雪システム融雪に関する。
【背景技術】
【０００２】
北海道などの寒冷地の住宅等の建物では、特に冬期に、建物と隣り合うようにして設けられた屋外のコンクリート土間の上に、降った雪や、屋根からの落雪で雪が積もり、その雪で通行を妨げたり、凍結により滑って転ぶ等の事故を起こすおそれがある。
【発明の開示】
【発明が解決しようとする課題】
【０００３】
本発明は、上記のような問題点に鑑み、建物と隣り合う屋外のコンクリート土間の積雪や凍結をなくすことができ、しかも、それを効果的にかつランニングコスト低く実現することができる融雪システムを提供することを課題とする。
【課題を解決するための手段】
【０００４】
上記の課題は、基礎を断熱基礎とした建物において、前記断熱基礎と隣り合う屋外の土間コンクリート中に融雪用の放熱用熱交換器が埋込み状態に設けられると共に、断熱基礎で囲まれた床下に吸熱用熱交換器が設けられ、床下の熱が吸熱用熱交換器、放熱用熱交換器を通じて前記屋外の土間コンクリートに伝えられるようになされていることを特徴とする断熱基礎建物における融雪システムによって解決される。
【０００５】
即ち、断熱基礎建物では、基礎が断熱基礎からなるので、一階の居住空間と床下空間との間を断熱する必要がなく、そのため、冬期の屋内暖房時には床下も屋内と同様に暖かくなっている。本発明の融雪システムは、断熱基礎建物におけるこの床下の熱を有効利用し、熱交換器でその熱を、建物と隣り合う屋外のコンクリート土間に伝えるものであり、該土間コンクリートの積雪や凍結を効果的になくすことができる。
【０００６】
特に、融雪用の放熱用熱交換器は、土間のコンクリート中に埋め込まれており、コンクリートの蓄熱作用によって、長い間、コンクリート土間は暖かく保たれ、また、建物の床下も断熱基礎の作用によって夜中から明け方にかけても依然暖かいことも相俟って、それらの蓄熱作用によって、冷える朝においてさえ、コンクリート土間を積雪や凍結のない暖かい土間に維持することができ、効果的な融雪を実現することができる。
【０００７】
しかも、上記の融雪システムは、夜中から明け方にかけて自然放熱によって捨てられる床下の暖かい熱を、土間コンクリートの蓄熱作用を利用して、融雪に使用するものであるから、最も難儀とされる冷える朝のコンクリート土間の積雪や凍結をランニングコスト低く防ぐことができる。
【０００８】
加えて、本発明の融雪システムは、断熱基礎と隣り合う屋外の土間コンクリートを対象としており、そのため、床下から土間コンクリート中の放熱用熱交換器に効率良く熱を伝えることができると共に、放熱用熱交換器までの配管を短くすることができてイニシャルコストも低くすることができる。
【０００９】
更に、放熱用熱交換器は土間コンクリート中に埋込み状態に設けられているので、放熱用熱交換器を土間コンクリートでしっかり守ることができて、踏圧はもとより、大きな荷重にもしっかりと耐えて、耐久性に優れた融雪システムを実現することができると共に放冷用熱交換器設置のための設置スペースの確保も必要でない。また、特に、これから新たに土間コンクリートを施工しようというような場合には、放熱用熱交換器を土間コンクリートを打つ前にセットし、そしてコンクリートを打ち込めばよく、放熱用熱交換器の施工を土間コンクリートの施工の際に併せて行うことができ、効率の良い施工を行うことができる。
【００１０】
断熱基礎で囲まれた床下のベースがコンクリート土間からなっている場合は、その蓄熱作用で夜間から明け方にかけての放熱用熱交換器への熱の供給をより確実に維持することができるようになると共に、床下の冷えを抑えることができて、屋内を暖かく保つことができる。
【００１１】
前記屋外のコンクリート土間が玄関付近の土間からなる場合には、朝の通勤、通学、家事を雪や凍結に悩まされることがなく気持ち良く快調にスタートさせることができる。
【００１２】
また、上記の課題は、基本的には、基礎を断熱基礎とした建物において、前記断熱基礎と隣り合う屋外のコンクリート土間の上面よりも下位に該土間コンクリートに蓄熱作用を及ぼす態様で融雪用の放熱用熱交換器が埋込み状態に設けられると共に、断熱基礎で囲まれた床下に吸熱用熱交換器が設けられ、床下の熱が吸熱用熱交換器、放熱用熱交換器を通じて前記屋外の土間コンクリートに伝えられるようになされていることを特徴とする断熱基礎建物における融雪システムによって解決される。
【００１３】
即ち、放熱用熱交換器は屋外の土間コンクリート中に埋め込まれている必要は必ずしもなく、要は、通行を妨げないように、コンクリート土間の上面よりも下位に土間コンクリートに蓄熱作用を及ぼす態様で埋込み状態に備えられていればよい。
【発明の効果】
【００１４】
本発明の融雪システムは、以上のとおりのものであるから、建物と隣り合う屋外のコンクリート土間の積雪や凍結をなくすことができ、しかも、それを効果的にかつランニングコスト低く実現することができる。
【発明を実施するための最良の形態】
【００１５】
次に、本発明の実施最良形態を図面に基づいて説明する。
【００１６】
図１に示す実施形態の融雪システムにおいて、１は建物であり、その基礎２は、布基礎からなっていて、その立ち上がり部２ａの両側に基礎コンクリートの打込み用の型枠を兼ねた断熱材３，３が備えられていて、断熱基礎に構成されている。なお、型枠を兼ねずに断熱材をいずれか少なくとも一方の面に設置した断熱基礎であってもよい。また、断熱基礎２で囲まれた床下のベース４はコンクリート土間からなっている。
【００１７】
そして、この建物１における断熱基礎２と隣り合うようにして、屋外のコンクリート土間５が形成され、この土間コンクリート５ａ中に融雪用の放熱用熱交換器６が埋込み状態に設けられている。また、断熱基礎２で囲まれた床下の空間部９には吸熱用熱交換器７が設置され、両熱交換器６，７がパイプ８で連結され、ポンプＰを駆動することにより、不凍液からなる熱交換媒体が熱交換器６，７間を行き来するようになされており、これにより、床下空間部９の熱が、吸熱用熱交換器７、放熱用熱交換器６を通じて屋外の土間コンクリート５ａに伝えられるようになされている。
【００１８】
なお、本実施形態では、屋外のコンクリート土間５が玄関土間である場合を想定しているが、屋根無しテラスや勝手口付近、隣接駐車場、犬走りなどのコンクリート土間であってもよい。
【００１９】
上記の融雪システムでは、基礎２が断熱基礎からなるので、一階の居住空間１０と床下空間９との間は断熱されておらず、冬期の屋内暖房時には床下空間部９も屋内１０と同様に例えば２０°Ｃなどと暖かくなっている。また、床下のベース４がコンクリート土間からなっているので、床下空間部の熱はこの土間コンクリート４ａ中にも蓄熱される。よって、ポンプＰを駆動することにより、午前、午後を問わず、床下空間部９や床下コンクリート土間４の熱が屋外の土間コンクリート５ａに伝えられ蓄熱されて、屋外のコンクリート土間５が暖かく保たれて、屋外のコンクリート土間５への積雪や凍結を防ぐことができる。
【００２０】
特に、断熱基礎建物では、夜中から明け方にかけても、屋内の暖房が効いているか否かにかかわらず、床下は暖かく保たれ、床下のベース４が蓄熱作用のあるコンクリート土間であること、屋外の土間コンクリート５ａも蓄熱作用を備えていることも相俟って、床下の熱を利用して明け方から朝にかけて屋外のコンクリート土間５を暖かく保つこともでき、冷える朝においてさえ、屋外のコンクリート土間５を積雪や凍結のない暖かい土間に維持して、該土間５への積雪や凍結を効果的にかつランニングコスト低く防ぐことができる。
【００２１】
以上に、本発明の実施形態を示したが、本発明はこれに限られるものではなく、発明思想を逸脱しない範囲で各種の変更が可能である。例えば、上記の実施形態では、吸熱用熱交換器７を床下空間部９に設置した場合を示したが、床下ベースの土間コンクリート４ａ中などに埋込み状態に備えさせるようにしてもよい。また、使用する熱交換器の種類に制限はなく、例えば、ヒートパイプなどが用いられてもよい。
【図面の簡単な説明】
【００２２】
【図１】実施形態の融雪システムを示す建物の断面側面図である。
【符号の説明】
【００２３】
１…建物
２…断熱基礎
４…床下コンクリート土間（床下ベース）
５…玄関土間（屋外のコンクリート土間）
５ａ…土間コンクリート
６…放熱用熱交換器
７…吸熱用熱交換器
９…床下空間部（床下）
【図１】
2005105647.tif 000003